(57)【要約】【課題】開口部を開閉するための駆動手段にかかるパネルシャッターの総重量を軽減する。【解決手段】ガイドレールＧ１を、開口部の幅方向両端部に立設された下半部Ｇ１０と開口部上方の内部空間Ｓ３内に延出する上半部Ｇ１１とから構成する。ガイドレールＧ１の上方に位置して、前後方向に延出する収納レール５１を設ける。チェーン３によって、複数のパネル１を下方側に、複数のパイプ２を上方側に位置させて、これらを上下方向に連結する。開口部全閉時には、パネル１の長手方向両端部がガイドレールの下半部Ｇ１０に、パイプ２の長手方向両端部がガイドレールの上半部Ｇ１１に収納されることで、パイプ２が開口部上方の内部空間Ｓ３内に隠蔽された状態で、パネル１のみで開口部を閉鎖する。【選択図】図２
2006274763.tif 000002
【特許請求の範囲】
【請求項１】
開口部の幅方向両端部に立設された下半部と開口部上方の内部空間内に縦方向に延出する上半部とから構成される一対のガイドレールと、
前記ガイドレールの上半部の上方に位置して、横方向に延出する一対の収納レールと、
長手方向両端部にガイドローラを有する複数のパネルと、
長手方向両端部にガイドローラを有し、前記パネルよりも軽量の複数の長手部材と、
前記複数のパネルを下方側に、前記複数の長手部材を上方側に位置させて、これらを上下に連結する連結部材と、
前記連結部材により連結されたパネル及び長手部材を、前記ガイドローラを介して、ガイドレールおよび/あるいは収納レールに沿って移動させる駆動手段と、
を有し、
開口部全閉時には、前記パネルの長手方向両端部がガイドレールの下半部に、前記長手部材の長手方向両端部がガイドレールの上半部に収納されることで、前記長手部材が開口部上方の内部空間内に隠蔽された状態で、前記パネルのみで開口部を閉鎖し、
開口部全開時には、前記複数の長手部材の少なくとも一部の長手部材の長手方向両端部が収納レールに収納されることを特徴とするパネルシャッター装置。
【請求項２】
請求項１において、長手部材は、パイプであることを特徴とするパネルシャッター装置。
【請求項３】
請求項１，２いずれかにおいて、前記パネルシャッター装置は、高天井面と低天井面を有する空間を高「天井高」空間と低「天井高」空間とに区画するものであり、前記ガイドレールの下半部は低「天井高」空間に位置しており、前記ガイドレールの上半部は、高天井面と低天井面とを連結する壁面と低天井面とで囲繞される開口部上方の内部空間に延出しており、前記収納レールは高天井面の上方に位置していることを特徴とするパネルシャッター装置。
【請求項４】
請求項３に記載のパネルシャッター装置から構成される第１パネルシャッター装置と、第１パネルシャッター装置の低天井面側に設けた第２パネルシャッター装置とを有し、第２パネルシャッター装置は、連結部材を介して連結される複数のパネルが開口部の幅方向両端部に立設された一対のガイドレールに案内されて開口部を閉鎖する開口部全閉姿勢と、前記パネルが低天井面上方の収納部内の一対の収納レールに案内されて収納される開口部全開姿勢とを有し、開口部全閉時には、第１パネルシャッター装置のパネルと第２パネルシャッター装置のパネルとの間に空間部を形成して、高天井面と低天井面を有する空間を高「天井高」空間と低「天井高」空間とに区画するパネルシャッター装置を用いた空間区画システム。
【発明の詳細な説明】
【技術分野】
【０００１】
本発明は、パネルシャッター装置に係り、詳しくは、天井ふところ高さが大きい開口部に設置されるパネルシャッター装置に関するものである。
【背景技術】
【０００２】
パネルシャッター装置は、長手方向両端部にガイドローラを有する支軸が突設された複数のパネルを、支軸を介してチェーンで上下に連結し、開閉機によってチェーンを巻き上げることで、開口部上方に設けた収納部内の収納レールにパネルを順次案内して収納部にパネルを収納して開口部を開放する。開口部全閉時には、複数のパネルが上下方向に互いに密接することで開口部を閉鎖することから、パネルシャッター装置は、良好な防音性能を有する。したがって、防音性能や気密性能が要求される開口部に対して、パネルシャッター装置は有利に採用される。
【０００３】
パネルシャッター装置は、開口部全開時には、開口部上方に設けた収納部内にパネルを収納するが、パネルシャッターの設置場所によっては、開口部上方の天井の上方空間内の高い位置（天井ふところの高い位置）に収納部を設けなければならない場合がある。その場合、天井ふところの高い位置に設置された収納部に至るまでパネルを設けるとすると、パネル枚数が増加して、パネルシャッター全体の重量が大きくなり、開閉機能力を超えてしまうことになる。したがって、パネルシャッター全体の重量を如何に軽くするかが重要となる。一方、開口部を閉鎖可能な枚数のパネルのみをチェーンで吊持した場合には、パネルシャッター全体の重量は通常のパネルシャッターと略同じであるが、最上位のパネルの上方側のチェーンがガイドレール内で揺れるので（ガイドレール内を移動するガイドローラが無いので）、安定してパネルを上下動させることが難しい。
【０００４】
ここで、特許文献１には、開口部全閉時に、開口部の上方部位に排煙部が形成されるパネルシャッター装置が開示されている。このものにおいて、排煙部はパイプによって形成されているが、特許文献１のパイプは排煙を目的とするものであって、パネルの重量を軽くするという技術思想は一切無く、しかも、排煙部は、たかだかパネル１枚分の領域に相当するに過ぎない。
【特許文献１】実公平７−４８９５７
【発明の開示】
【発明が解決しようとする課題】
【０００５】
本発明は、パネルシャッター装置において、開口部を開閉するための駆動手段にかかるパネルシャッターの総重量を軽減することを目的とするものである。
【課題を解決するための手段】
【０００６】
かかる課題を達成するために本発明が採用したパネルシャッター装置は、開口部の幅方向両端部に立設された下半部と開口部上方の内部空間内に縦方向に延出する上半部とから構成される一対のガイドレールと、前記ガイドレールの上半部の上方に位置して、横方向に延出する一対の収納レールと、長手方向両端部にガイドローラを有する複数のパネルと、長手方向両端部にガイドローラを有し、前記パネルよりも軽量の複数の長手部材と、前記複数のパネルを下方側に、前記複数の長手部材を上方側に位置させて、これらを上下に連結する連結部材と、前記連結部材により連結されたパネル及び長手部材を、前記ガイドローラを介して、ガイドレールおよび/あるいは収納レールに沿って移動させる駆動手段とを有する。開口部全閉時には、前記パネルの長手方向両端部がガイドレールの下半部に、前記長手部材の長手方向両端部がガイドレールの上半部に収納されることで、前記長手部材が開口部上方の内部空間内に隠蔽された状態で、前記パネルのみで開口部を閉鎖する。開口部全開時には、前記複数の長手部材の少なくとも一部の長手部材の長手方向両端部が収納レールに収納される。
【０００７】
横方向に延出する一対の収納レールは、一つの態様では、後述する実施例のように、前方から後方へ向かって下向きに緩やかに傾斜状に延出するレールであり、通常のパネルシャッター装置に用いられる収納レールを採用することができる。収納レールの他の態様としては、いわゆるオーバーヘッドドアのガイドレールのように、ガイドレール上端から湾曲状に折り曲がりながら後方へ水平状に延出するものでもよい。また、ガイドレールと収納レールとを一体的に形成してもよい。
【０００８】
パネルより軽量の長手部材は、一つの態様ではパイプであるが、パネルの面部を開口状とした部材（例えば、パネルの枠と長手方向両端部の支軸のみからなる部材、あるいは、パネル面部に多数の穴が設けてあるパンチングメタルを使用した場合）であってもよい。また、パネル及び長手部材を連結する連結部材としては、チェーン、ワイヤが例示される。連結部材をチェーンから構成する場合には、一つの態様では、パネル及び長手部材の長手方向両端部に突設された支軸（ガイドローラが軸支されている）をチェーンで上下に連結する。
【０００９】
一つの態様では、前記パネルシャッター装置は、高天井面と低天井面を有する空間を高「天井高」空間と低「天井高」空間とに区画する。前記ガイドレールの下半部は低「天井高」空間に位置しており、前記ガイドレールの上半部は、高天井面と低天井面とを連結する壁面と低天井面で囲繞される開口部上方の内部空間において上下方向に延出しており、前記収納レールは高天井面の上方に位置している。好ましい態様では、請求項３に記載のパネルシャッター装置から構成される第１パネルシャッター装置と、第１パネルシャッター装置の低天井面側に設けた第２パネルシャッター装置とから、空間区画システムを構成する。第２パネルシャッター装置は、連結部材を介して連結される複数のパネルが開口部の幅方向両端部に立設された一対のガイドレールに案内されて開口部を閉鎖する開口部全閉姿勢と、前記パネルが低天井面上方の収納部内の一対の収納レールに案内されて収納される開口部全開姿勢とを有し、開口部全閉時には、第１パネルシャッター装置のパネルと第２パネルシャッター装置のパネルとの間に空間部を形成して、高天井面と低天井面を有する空間を高「天井高」空間と低「天井高」空間とに区画する。空間区画システムは、好ましくは、パネル内部や天井内部に防音材を設けることで、防音（遮音）システムとして提供される。また、防音材に代えてあるいは加えて断熱材を設ければ、断熱効果を得ることもできる。
【発明の効果】
【００１０】
本発明によれば、開口部を閉鎖するためのパネルの上方側にはパネルより軽量の長手部材を配設したので、シャッターの駆動手段にかかる総重量を抑えることができる。パネルより軽量の長手部材は、常時、開口部上方の内部空間（天井内の空間）に収納されているので外部に露出することがない。
【００１１】
パネルより軽量の長手部材の長手方向両端部は、パネルの長手方向両端部と同じようにガイドローラが設けあるので、長手部材の長手方向両端部はガイドレール内、収納レール内で安定して案内される。また、既存のパネルシャッター装置の構成部品（ガイドレール、収納部、収納レール等）を利用して本発明のパネルシャッター装置を構成することができる。
【発明を実施するための最良の形態】
【００１２】
図１は、本発明に係るパネルシャッターが設置される建物内空間を側方から見た縦断面図である。図１に示すように、建物内空間は、二つのパネルシャッター装置Ｐ１，Ｐ２によって二つの空間Ｓ１，Ｓ２に区画されており、二つの空間Ｓ１，Ｓ２は、共通の水平レベルを有する床面Ｆ、異なる水平レベルの天井面Ｃ１，Ｃ２を有している。一方の空間Ｓ１の天井高（床面Ｆと天井面Ｃ１との距離）がＨ１であるのに対して、他方の空間Ｓ２の空間の天井高（床面Ｆと天井面Ｃ２との距離）がＨ２となっており、天井高Ｈ１は、天井高Ｈ２よりも大きい寸法を有している。図示の例では、天井高Ｈ１は、天井高Ｈ２の２倍以上の高さを有している。空間Ｓ１の天井面Ｃ１と空間Ｓ２の天井面Ｃ２とは、垂直方向に延出する壁面Ｗによって連結されている。二つの空間Ｓ１，Ｓ２の区画部位の幅方向端部の側壁ＳＷ（図２参照）には、二つのパネルシャッター装置にそれぞれ対応する位置にガイドレールＧ１，Ｇ２が装着されている。ガイドレールＧ１、開口部（区画部位）の幅方向両端部に立設された下半部Ｇ１０と、開口部上方の内部空間Ｓ３内に延出する上半部Ｇ１１とから構成されている。尚、図１において、ＣＷは空間Ｓ１の上方に設けたキャットウォークである。
【００１３】
上述のように、建物内空間は、二つのパネルシャッター装置Ｐ１，Ｐ２によって二つの空間Ｓ１，Ｓ２に区画されており、両パネルシャッター装置は共に、床面Ｆ、天井面Ｃ２、左右の側壁ＳＷにより囲繞される開口部を仕切るように配設されている。
【００１４】
空間Ｓ１側に位置する第１パネルシャッター装置Ｐ１は、複数枚のパネル１と、複数本のパイプ２と、各パネル１及び各パイプ２を上下方向に連結して吊持するチェーン３と、チェーン３を巻き上げあるいは繰り出す駆動手段である開閉機４と、開口部全開時にチェーン３及びパイプ２を収納する収納部５と、開口部左右の側壁に立設されたガイドレールＧ１とを有する。
【００１５】
各パネル１の幅方向両端部位には、ガイドローラ６を設けた支軸７が突設されており、各パネル１は支軸７を介してチェーン３に連結されて吊持される。開閉機４によってチェーン３を上下動させることで、各パネル１は、幅方向両端の支軸７のガイドローラ６がガイドレールＧ１（下半部Ｇ１０及び上半部Ｇ１１）に案内されながら、縦方向に上下動する。
【００１６】
各パイプ２の長さ方向両端部位にも、パネル１と同様に、ガイドローラ６を設けた支軸７が突設されており、各パイプ２は支軸７を介してチェーン３に吊持されている。開閉機４によってチェーン３を巻き上げ、あるいは、繰り出すことで、各パイプ２は、幅方向両端の支軸７のガイドローラ６がガイドレールＧ１（上半部Ｇ１１）、後述する収納レール５１に案内されながら、縦方向、あるいは、横方向に移動する。各パイプ２は両端部の支軸７をしっかりと支持する機能を有している。特に、収納レール５１にガイドローラ６が案内されて、チェーン３の自重が支軸７に加わる時に、パイプ２により支軸７をしっかりと支持することができる。
【００１７】
ガイドレールＧ１は空間Ｓ２の天井面Ｃ２を貫設して上方に延出しており、ガイドレールＧ１の上半部Ｇ１１は、壁面Ｗと天井面Ｃ２で囲繞された開口部上方の内部空間Ｓ３に納まっており、空間Ｓ１，Ｓ２に露出することがない。ガイドレールＧ１の高さ寸法は、天井高Ｈ１よりも若干大きい寸法を有しており、ガイドレールＧ１の上半部Ｇ１１は、開口部上方の内部空間Ｓ３に延出すると共に、その上端部は、天井面Ｃ１の上方の空間の収納部５にまで達している。
【００１８】
複数枚のパネル１及び複数本のパイプ２を上下方向に連結するチェーン３は、天井高Ｈ１よりも大きい寸法を有しており、チェーン３の上半部側にはパイプ２が連結され、チェーン３の下半部側にはパネル１が連結されている。連設されたパネル１の高さは、天井高Ｈ２に対応しており、全閉時には、連設されたパネル１によって開口部が仕切られて閉鎖される。全閉時において、パイプ２の長手方向両端部はガイドレール上半部Ｇ１１に収納されており、壁面Ｗと天井面Ｃ２で囲繞された開口部上方の内部空間Ｓ３に納まったままである。
【００１９】
空間Ｓ１の天井面Ｃ１の上方の空間に設けた収納部５には、ガイドレールＧ１の上端部の略上方に位置してチェーン３を巻き掛けするためのスプロケット５０が設けあり、収納部５内部の後方側に設けた開閉機４によってスプロケット５０を所定方向に回転させて、チェーン３を巻き上げ、あるいは、繰り出すことで、パイプ２及びパネル１を上動、あるいは、下動させる。収納部５には、前方から後方に向かって緩やかに下向き傾斜状に延出する収納レール５１が設けあり、チェーン３の巻き上げによって、ガイドレールＧ１の上半部Ｇ１１の上端まで移動したパイプ２の長手方向両端部は、収納レール５１によって略水平方向に移動しながら後方側に案内されて収納部５に収納される。
【００２０】
開口部全閉状態から、チェーン３が巻き上げられると、パネル１は、チェーン３の上昇にしたがって、長手方向両端部のガイドローラ６を介してガイドレールＧ１に案内されながら、上昇して行き、天井面Ｃ２の上方の内部空間Ｓ３にまで移動して、開口部を開放する。この時、開口部全閉状態では、ガイドレールＧ１の上半部Ｇ１１に位置していたパイプ２は、パイプ２の長さ方向端部のガイドローラ６が収納レール５１に案内されながら、パイプ２及びチェーン３が収納部５に収納されて行く。尚、ガイドレールＧ１の上半部Ｇ１１の高さ寸法によっては、開口部全開時に、複数のパイプ２の内の一部が収納部５に収納され、残りのパイプ２が、ガイドレールＧ１の上半部Ｇ１１の上方側に収納されるもの、または、パイプ全部とパネルの一部が収納部５に収納され、残りのパネルがガイドレールＧ１の上半部Ｇ１１に収納されるものでもよい。
【００２１】
上述のように、全閉時において、パイプ２の長手方向両端部はガイドレール上半部Ｇ１１に収納されており、全開時には、パイプ２の長手方向両端部は収納レール５、あるいは、収納レール５及びガイドレール上半部Ｇ１１に納まっており、したがって、パイプ２は常時、壁面Ｗと天井面Ｃ２で囲繞された内部空間Ｓ３に納まったままであり、空間Ｓ１、Ｓ２に露出することがない。
【００２２】
空間Ｓ２側に位置する第２パネルシャッター装置Ｐ２は、通常納まりのパネルシャッター装置であって、複数枚のパネル１と、各パネル１を上下方向に連設状に吊持するチェーン３と、チェーン３を巻き上げあるいは繰り出す駆動手段である開閉機４と、開口部全開時にチェーン３及びパネル１を収納する収納部５と、開口部左右の側壁に立設されたガイドレールＧ２とを有する。ガイドレールＧ２は、空間Ｓ２の開口部の幅方向両端部に立設されており、収納部５は、空間Ｓ２の天井面Ｃ２の直ぐ上に配設されている。パネル１、チェーン３、収納部５の具体的な構成は、パネルシャッター装置Ｐ１のパネル１、チェーン３、収納部５と同一であり、パネルシャッター装置Ｐ２の構成及び作用については、パネルシャッター装置Ｐ１に関する記載をそのまま適用することができる。
【００２３】
本実施例では、異なる天井高Ｈ１、Ｈ２を有する空間に二つのパネルシャッター装置Ｐ１、Ｐ２を設置することで、防音システムを構成している。二つのパネルシャッター装置Ｐ１、Ｐ２を開口部に二重に設置することで、開口部を二重のパネルで遮蔽して前記空間を空間Ｓ１，Ｓ２に区画するように構成されている。異なる天井高を有する空間の壁面、天井面には遮音材８が充填されている。パネルシャッター装置Ｐ１は、高天井面である天井面Ｃ１と低天井面である天井面Ｃ２を有する空間を、高「天井高」空間である空間Ｓ１と低「天井高」空間である空間Ｓ２とに区画するものである。ガイドレールＧ１の下半部Ｇ１０は低「天井高」空間内（Ｓ２）において高「天井高」空間（Ｓ１）に近接させて配設されている。収納部５（収納レール５１）は高天井面（Ｃ１）の上方に位置しており、ガイドレールＧ１の上半部Ｇ１１は、高天井面（Ｃ１）と低天井面（Ｃ２）とを連結する壁面Ｗと低天井面（Ｃ２）とで囲繞される開口部上方の内部空間Ｓ３において、壁面Ｗに沿って縦方向に延出している。パネルシャッター装置Ｐ２のガイドレールＧ２は、低「天井高」空間（Ｓ２）内において、ガイドレールＧ１を挟んで、高「天井高」空間（Ｓ１）とは反対側に配設されている。開口部全閉時には、二つのパネルシャッター装置Ｐ１、Ｐ２のパネル１によって二重に開口部が遮蔽されるので、防音性能が良好である。
【産業上の利用可能性】
【００２４】
本発明に係るパネルシャッター装置は、防音性能が要求されるような開口部を遮蔽することに利用することができる。
【図面の簡単な説明】
【００２５】
【図１】パネルシャッター装置Ｐ１，Ｐ２によって区画された空間を側方から見た縦断面図である。
【図２】パネルシャッター装置Ｐ１の概略正面図である。
【図３】天井面Ｃ１の上方空間の縦断面図である。
【図４】天井面Ｃ２の上方空間の縦断面図である。
【図５】パネルシャッターのパネルの部分正面図であり、パネルシャッター装置Ｐ１，Ｐ２の両方のパネル部分に共通する。
【図６】パネル及びパイプの長手方向両端部の支軸及びガイドローラと、支軸を連結するチェーンを示す。
【符号の説明】
【００２６】
Ｓ１  空間
Ｓ２  空間
Ｓ３  開口部上方の内部空間
Ｇ１  ガイドレール
Ｇ１０  下半部
Ｇ１１  上半部
Ｈ１  天井高
Ｈ２  天井高
Ｃ１  天井面
Ｃ２  天井面
Ｆ  床面
Ｗ  壁面
ＳＷ  開口部側壁
１  パネル
２  パイプ
３  チェーン
４  開閉機
５  収納部
５０  スプロケット
５１  収納レール
６  ガイドローラ
７  支軸
８  遮音材
【図１】
2006274763.tif 000003
【図２】
2006274763.tif 000004
【図３】
2006274763.tif 000005
【図４】
2006274763.tif 000006
【図５】
2006274763.tif 000007
【図６】
2006274763.tif 000008